(57)【要約】【課題】  可変入賞装置が備える可動翼片または開閉扉と、遊技釘，入賞口の口縁，前面ガラス等の他の遊技機構成部材との間に遊技球が挟まれた場合に、可動翼片または開閉扉に生じる傾斜によって該遊技球を落下させ得るようにしたパチンコ遊技機を提供する。【解決手段】  左右一対の可動翼片１５，１５が、起立位置と、逆ハ字形に外側方に拡開する傾動位置とに変換制御される可変入賞装置１３Ａを備えてなるパチンコ遊技機にあって、前記両可動翼片１５，１５を、主片部１５ａと、該主片部１５ａの先端に遊転可能に軸支される回動片部１５ｂとにより構成し、可動翼片１５，１５の開閉作動時に、該可動翼片１５，１５の先端と他の遊技機構成部材との間に挟まれた遊技球３４を、回動片部１５ｂの遊転作用で生じる傾斜によって落下させることができるようにした。【選択図】  図５
2005046506.tif 000002
【特許請求の範囲】
【請求項１】
左右一対の可動翼片が、起立位置と、逆ハ字形に外側方に拡開する傾動位置とに変換制御される可変入賞装置を備えてなるパチンコ遊技機において、
前記可変入賞装置の一方若しくは両方の可動翼片が、主片部と、該主片部の先端に遊転可能に軸支された回動片部とにより構成されていることを特徴とするパチンコ遊技機。
【請求項２】
可動翼片が、傾動位置で遊技球を受け止める球受け面を備えるものであって、回動片部によって該球受け面の一部が構成されていることを特徴とする請求項１記載のパチンコ遊技機。
【請求項３】
左右一対の可動翼片が、起立位置と、逆ハ字形に外側方に拡開する傾動位置とに変換制御される可変入賞装置を備えてなるパチンコ遊技機において、
前記可変入賞装置の一方若しくは両方の可動翼片が、主片部と、該主片部の先端に軸支されて、回動角度調整手段を介して回動角度位置が選択的に保持される回動片部とにより構成されていることを特徴とするパチンコ遊技機。
【請求項４】
回動角度調整手段が、主片部と回動片部の、その何れか一方に、回動片部を軸支する支軸と同心状に設けられた複数の係合凹部と、他方に設けられて該係合凹部に選択的に係合される係合突部とによって構成されていることを特徴とする請求項３記載のパチンコ遊技機。
【請求項５】
前後方向に沿って起倒可能に設けられた開閉扉が、前方回動駆動により傾倒して入賞口を開放し、かつ該入賞口に遊技球を案内する開放位置と、該開放位置からの後方回動駆動により起立して入賞口を閉鎖する閉鎖位置とに変換制御される可変入賞装置を備えてなるパチンコ遊技機において、
前記可変入賞装置の開閉扉が、左右両端で軸支されて前後方向に沿って起倒可能に設けられた支持枠部と、該支持枠部の前方回動状態で、該支持枠部の前縁中央に後端が軸支されて、入賞口への案内作用を傾動によって損なわない程度の微傾動可能に設けられた扉板部とにより構成されていることを特徴とするパチンコ遊技機。
【発明の詳細な説明】
【技術分野】
【０００１】
本発明は、可変入賞装置が備える可動翼片または開閉扉と、遊技釘，入賞口の口縁，前面ガラス等の他の遊技機構成部材との間に遊技球が挟まれた場合に、自動的に生じる傾斜によって遊技球を移動させて落下させ得るようにしたパチンコ遊技機に関する。
【背景技術】
【０００２】
パチンコ遊技機の遊技盤面に配設される可変入賞装置にあって、球流入孔の左右両側で、基部が支軸によって回動可能に軸支された左右一対の可動翼片を、上方に立ち上がる起立位置と、逆ハ字形に外側方に拡開する傾動位置とに変換制御するように構成した可変入賞装置が知られている（例えば、特許文献１参照）。尚、該特許文献１には、各可動翼片の対向する内側面に左右非対称の段部を形成することにより、複数の遊技球の同時入賞に起因する噛み発生を防止するようにした構成が開示されているが、本発明の目的外であるのでその説明は省略する。
【０００３】
また、同じく遊技盤面に配設される可変入賞装置にあって、左右両端の下部で支軸を介して軸支され、前後方向に沿って起倒可能に設けられた横長矩形状の開閉扉を、前方回動駆動により傾倒させて入賞口を開放し、かつその上面で該入賞口に遊技球を案内する開放位置と、該開放位置からの後方回動駆動により起立させて入賞口を閉鎖する閉鎖位置とに変換制御するようにした可変入賞装置が知られている。
【０００４】
このような前後方向に沿って起倒可能な横長矩形状の開閉扉を備えた可変入賞装置において、該開閉扉の裏面に、その上縁部に沿って開閉扉の面外方向に傾斜する傾斜部を設けることにより、開閉扉が開放位置から閉鎖位置へ変換される際に、開閉扉の裏面上縁と入賞口の上部口縁とに挟まれた遊技球を、前記傾斜部で生じる球誘導作用により左右方向に移動させて落下させるようにしたものが提案されている（特許文献２参照）。
【特許文献１】実開昭５４−１２４６８２号公報（第１図）
【特許文献２】特開２００３−１１７１２７号公報
【発明の開示】
【発明が解決しようとする課題】
【０００５】
ところで、上記のような左右一対の可動翼片を備えた従来の可変入賞装置にあっては、二枚の可動翼片が、その開閉作動に際して、起立位置と傾動位置間を回動するときに、可動翼片の先端と、可変入賞装置に設けられた突出縁部或いは可変入賞装置の周囲に配設されている遊技釘との間に遊技球が挟まって、可動翼片が本来の傾動位置や起立位置まで回動できなくなるという問題点があった。ここで、遊技釘は遊技店が行う釘調整によって可動翼片の先端に対して離近方向に変位するものであるため、このような不具合が発生することとなるのである。
【０００６】
一方、前後方向に沿って起倒可能な横長矩形状の開閉扉を備えた可変入賞装置において、開閉扉の裏面に、その上縁部に沿って開閉扉の面外方向に傾斜する傾斜部を設けた先行技術にあっては、開閉扉が開放位置から閉鎖位置へ変換される際に、開閉扉の裏面上縁と入賞口の上部口縁とに挟まれた遊技球を、前記傾斜部の球誘導作用によって落下させることはできるものの、開閉扉が閉鎖位置から開放位置へ変換される際に、開閉扉の前面上縁と遊技盤を覆う前面ガラスとの間に遊技球が挟み込まれた場合には、開閉扉の裏面に設けられた傾斜部の球誘導作用が及ばないため、これを落下させることができず、開閉扉が本来の開放位置まで回動できなくなるという問題点があった。
【０００７】
本発明は、かかる従来の問題点を解消し得る可変入賞装置を備えたパチンコ遊技機を提供することを目的とするものである。
【課題を解決するための手段】
【０００８】
本発明は、左右一対の可動翼片が、起立位置と、逆ハ字形に外側方に拡開する傾動位置とに変換制御される可変入賞装置を備えてなるパチンコ遊技機において、前記可変入賞装置の一方若しくは両方の可動翼片が、主片部と、該主片部の先端に遊転可能に軸支された回動片部とにより構成されていることを特徴とするパチンコ遊技機である（請求項１）。ここで、前記主片部は、回動片部以外の可動翼片の主体を構成するものである。
【０００９】
かかる構成のパチンコ遊技機にあって、可動翼片が、傾動位置で遊技球を受け止める球受け面を備えるものであって、回動片部によって該球受け面の一部を構成するようにしたものが提案される（請求項２）。
【００１０】
また、本発明は、左右一対の可動翼片が、起立位置と、逆ハ字形に外側方に拡開する傾動位置とに変換制御される可変入賞装置を備えてなるパチンコ遊技機において、前記可変入賞装置の一方若しくは両方の可動翼片が、主片部と、該主片部の先端に軸支されて、回動角度調整手段を介して回動角度位置が選択的に保持される回動片部とにより構成されていることを特徴とするパチンコ遊技機である（請求項３）。ここで、前記主片部は、回動片部以外の可動翼片の主体を構成するものである。
【００１１】
かかる構成のパチンコ遊技機にあって、前記回動角度調整手段が、主片部と回動片部の、その何れか一方に、回動片部を軸支する支軸と同心状に設けられた複数の係合凹部と、他方に設けられて該係合凹部に選択的に係合される係合突部とからなるものが提案される（請求項４）。
【００１２】
さらに、本発明は、前後方向に沿って起倒可能に設けられた開閉扉が、前方回動駆動により傾倒して入賞口を開放し、かつ該入賞口に遊技球を案内する開放位置と、該開放位置からの後方回動駆動により起立して入賞口を閉鎖する閉鎖位置とに変換制御される可変入賞装置を備えてなるパチンコ遊技機において、前記可変入賞装置の開閉扉が、左右両端で軸支されて前後方向に沿って起倒可能に設けられた支持枠部と、該支持枠部の前方回動状態で、該支持枠部の前縁中央に後端が軸支されて、入賞口への案内作用を傾動によって損なわない程度の微傾動可能に設けられた扉板部とにより構成されていることを特徴とするパチンコ遊技機である（請求項５）。ここで、扉板部の微傾動の角度は、その傾動によって入賞口への遊技球の案内作用を損なわない程度の角度であり、具体的には扉板部の両端部が水平状態から上下方向に夫々１５°程度以下で傾動する角度範囲とすることが望ましい。また、かかる構成はあくまでも扉板部の微傾動によって案内作用が損なわれないことを規定するものであり、扉板部の微傾動以外の要因、例えば支持枠部の左右両側または入賞口の左右両側に側板部４１（図９，図１０参照）がないことによって、入賞口に遊技球を案内する案内作用が損なわれる場合を除外するものではない。
【発明の効果】
【００１３】
本発明は、上述したように、左右一対の可動翼片が、起立位置と、逆ハ字形に外側方に拡開する傾動位置とに変換制御される可変入賞装置を備えてなるパチンコ遊技機において、前記可変入賞装置の一方若しくは両方の可動翼片が、主片部と、該主片部の先端に遊転可能に軸支された回動片部とにより構成されていることを特徴とするパチンコ遊技機であるから（請求項１）、可動翼片が開閉作動に際して、起立位置と傾動位置間を回動するときに、可動翼片の先端と、可変入賞装置に設けられた突出縁部或いは可変入賞装置の周囲に配設されている遊技釘との間に遊技球が挟まれても、可動翼片を構成する主片部の先端に軸支された回動片部が遊転することによって、前記突出縁部或いは遊技釘に対して傾斜が生じ、その傾斜に沿って遊技球が移動してバランスが崩れ、落下することとなる。これにより、可動翼片を本来の傾動位置または起立位置まで回動させることができる。
【００１４】
また、可動翼片が、傾動位置で遊技球を受け止める球受け面を備えるものであって、回動片部によって該球受け面の一部を構成するようにしたもの（請求項２）にあっては、傾動位置にある可動翼片の先端に遊技球が勢いよく衝突しても、球受け面の一部を構成する回動片部の遊転作用により、その衝撃が緩和され、衝突した遊技球が可動翼片上から弾き出されてしまうことを防止することができる。
【００１５】
また、左右一対の可動翼片が、起立位置と、逆ハ字形に外側方に拡開する傾動位置とに変換制御される可変入賞装置を備えてなるパチンコ遊技機において、前記可変入賞装置の一方若しくは両方の可動翼片が、主片部と、該主片部の先端に軸支されて、回動角度調整手段を介して回動角度位置が選択的に保持される回動片部とにより構成されていることを特徴とするパチンコ遊技機にあっては（請求項３）、開閉作動により回動する可動翼片の先端と、可変入賞装置の周囲に配設されている遊技釘とが遊技店の行う釘調整によって近接し、両者間に遊技球が挟まれることが予め明白である場合に、回動角度調整手段を介して回動片部の回動角度位置を変えることにより、遊技釘に対して傾斜を生じさせることができ、可動翼片の開閉作動に際して回動片部と遊技釘との間に遊技球が挟まれても、その傾斜に沿って遊技球が移動してバランスが崩れ、落下することとなる。これにより、可動翼片が本来の傾動位置や起立位置まで回動できなくなるという不具合を未然に防止することができる。
【００１６】
そして、前記回動角度調整手段を、主片部と回動片部の、その何れか一方に、回動片部を軸支する支軸と同心状に設けられた複数の係合凹部と、他方に設けられて該係合凹部に選択的に係合される係合突部とによって構成することにより（請求項４）、複数の係合凹部の何れかに係合突部を選択的に係合するだけの簡単な操作で、回動片部の回動角度位置を容易に変えることができ、遊技釘に対して遊技球を移動させて落下させるための傾斜を簡単に生じさせることが可能となる。
【００１７】
さらに、前後方向に沿って起倒可能に設けられた開閉扉が、前方回動駆動により傾倒して入賞口を開放し、かつ該入賞口に遊技球を案内する開放位置と、該開放位置からの後方回動駆動により起立して入賞口を閉鎖する閉鎖位置とに変換制御される可変入賞装置を備えてなるパチンコ遊技機において、前記可変入賞装置の開閉扉が、左右両端で軸支されて前後方向に沿って起倒可能に設けられた支持枠部と、該支持枠部の前方回動状態で、該支持枠部の前縁中央に後端が軸支されて、入賞口への案内作用を傾動によって損なわない程度の微傾動可能に設けられた扉板部とにより構成されていることを特徴とするパチンコ遊技機にあっては（請求項５）、開閉扉が閉鎖位置から開放位置へ変換される際に、扉板部の前面上縁と遊技盤を覆う前面ガラスとの間に遊技球が挟み込まれた場合、または開閉扉が開放位置から閉鎖位置へ変換される際に、扉板部の裏面上縁と入賞口の上部口縁との間に遊技球が挟み込まれた場合の何れであっても、扉板部が微傾動して傾斜が生じ、その傾斜によって遊技球を外端側に移動させてバランスを崩し、落下させることができる。これにより、開閉扉を本来の開放位置または閉鎖位置まで回動させることができる。
【発明を実施するための最良の形態】
【００１８】
図１は、本発明が適用可能な第一種パチンコ遊技機の遊技盤１を示す。該遊技盤１には、その遊技盤面２上に略円形の誘導レール３で囲繞された遊技領域４が設けられており、該遊技領域４の略中央にセンターケース５が配設されている。このセンターケース５には、液晶表示器からなる図柄表示装置６が組み付けられており、該図柄表示装置６の表示画面７には、三つの特別図柄Ａ，Ｂ，Ｃが変動表示される。また、表示画面７の一部領域には、普通図柄表示部９が設けられており、該普通図柄表示部９には右図柄と左図柄からなる二つの普通図柄Ｅ1 ，Ｅ2 が変動表示される。この普通図柄Ｅ1 ，Ｅ2 は、「７」と「−」の二種類の図柄で構成されており、右図柄及び左図柄ともに「７」が停止する当り図柄態様が確定表示された場合には、後述する可変入賞装置１３Ａの可動翼片１５，１５が開閉駆動される。尚、前記図柄表示装置６としてはＣＲＴ表示器等を用いることも可能である。
【００１９】
一方、センターケース５の左右両側には、普通図柄始動ゲート（普通図柄始動領域）１２，１２が配設されており、遊技球の通過により、この普通図柄始動ゲート１２，１２が具備する普通図柄始動スイッチ（図示省略）から遊技球検出信号が発生すると、前記普通図柄表示部９の普通図柄Ｅ1 ，Ｅ2 が変動し、所定時間経過後に停止して種々の組み合わせの図柄態様が表示されることとなる。
【００２０】
また、センターケース５の直下位置には、左右一対の可動翼片１５，１５により入賞口を兼ねた入り口の開口度を変化させるようにした可変入賞装置１３Ａが配設されている。そして前記普通図柄表示部９の表示結果が所定の当り図柄態様の場合には、ソレノイド２７（図２参照）を駆動源とする可動翼片１５，１５が所定時間、外側方に拡開されて、内部の球流入孔１４に遊技球が入り易い状態となる。遊技球の入賞により、この球流入孔１４が具備する特別図柄始動スイッチ（図示省略）から遊技球検出信号が発生すると、前記図柄表示装置６の表示画面７に特別図柄Ａ，Ｂ，Ｃを変動表示する図柄生成行程が実行されることとなる。この可変入賞装置１３Ａは本発明の要部にかかるものであり、詳しくは後述する。
【００２１】
さらに、可変入賞装置１３Ａの下方には、内部に特定領域と一般領域とを有する入賞口２０を備え、かつ、横長矩形状の開閉扉２１を図示しないソレノイド等の駆動源によって前後方向に回動駆動することにより、入賞口２０を開放状態と閉鎖状態とに変換する可変入賞装置１３Ｂが配設されている。そして、前記図柄表示装置６の表示画面７に変動表示される特別図柄Ａ，Ｂ，Ｃが、所定の組み合わせの当り図柄態様で確定表示された場合に大当たりとしての特別遊技作動が実行され、開閉扉２１が所定の開閉態様で開閉駆動される。この可変入賞装置１３Ｂも本発明の要部にかかるものであり、詳しくは後述する。
【００２２】
次に、本発明の要部である可変入賞装置１３Ａの構成を、図２〜図６に示す第一実施例に基づいて説明する。
可変入賞装置１３Ａは、遊技盤面２に取り付けられるベース板２３を備えており、該ベース板２３の略中央には、図２に示すように、球流入孔１４が形成されている。また、ベース板２３にはその前面側に、前壁部２４ａと円弧状の下部周壁部２４ｂとを備えたカバー体２４が配設されており、該カバー体２４の前壁部２４ａと下部周壁部２４ｂとによってベース板２３の前方及び下半部分が覆われている。ベース板２３の表面には、球流入孔１４の左右両側に位置させて支軸２５，２５が前方に向けて突成されており、該支軸２５，２５によって左右一対の可動翼片１５，１５の基部が回動可能に軸支されている。
【００２３】
また、両可動翼片１５，１５の裏面には、前記支軸２５，２５より内方に偏倚する位置に夫々作動杆２６が後方に向けて突成されている。各作動杆２６は、ベース板２３の裏面側に配設されたソレノイド２７のプランジャ２８にリンク部材２９を介して連繋されており、該ソレノイド２７のＯＮ作動によりプランジャ２８が引き込まれると、支軸２９’を支点として回動するリンク部材２９を介して、可動翼片１５，１５が逆ハ字形に外側方に拡開する傾動位置（図１参照）に変換され、また、ソレノイド２７がＯＦＦとなりプランジャ２８がバネ付勢により押し出されると、リンク部材２９の回動を介して、図４に示すように、可動翼片１５，１５が上方に立ち上がる起立位置に変換される。
【００２４】
前記可動翼片１５，１５は、夫々可動翼片１５の主体を構成する主片部１５ａと、該主片部１５ａの先端に軸支された回動片部１５ｂとからなり、図２に示すように、回動片部１５ｂの下端面から突成された支軸３０を、主片部１５ａの上端面に形成された嵌挿孔３１に遊嵌させることにより、回動片部１５ｂが主片部１５ａに対して遊転可能に装着されている。
【００２５】
ここで、前記支軸３０は適宜の弾性を有する素材からなり、その先端には、図３（イ），（ロ）に示すように、前記嵌挿孔３１より若干径大な係止縁３０ｂを上端に備えた半球状の係合部３０ａが形成されている。また、嵌挿孔３１の奥部には該係合部３０ａを嵌入した状態で前記係止縁３０ｂと上方で対向する係止段部３１ｂを備えた半球状の径大部３１ａが形成されている。そして、図３（イ）に示すように、支軸３０の係合部３０ａをその弾性変形を介して嵌挿孔３１に強制嵌入し、該係合部３０ａを、図３（ロ）に示すように、径大部３１ａ内に遊嵌させることにより、回動片部１５ｂが遊転可能に設けられており、さらに、回動片部１５ｂが抜け出し方向に移動すると嵌挿孔３１の係止段部３１ｂに支軸３０の係止縁３０ｂが当接して回動片部１５ｂの抜け止め作用が生じるようになっている。
【００２６】
また、起立位置で対向する可動翼片１５，１５の内側面は、傾動位置で遊技球を受け止める球受け面３２となっており、前記回動片部１５ｂによって該球受け面３２の一部が構成されている。
【００２７】
かかる構成にあって、可動翼片１５，１５の傾動位置への変換に際して、図５（イ）に示すように、可動翼片１５の先端と、可変入賞装置１３Ａの周囲に配設されている遊技釘３３との間に遊技球３４が挟まれると、該可動翼片１５を構成する主片部１５ａの先端に遊転可能に軸支されている回動片部１５ｂが遊転することによって、図５（ロ）に示すように、遊技釘３３に対して傾斜が生じ、その傾斜に沿って遊技球３４が移動することとなり、バランスが崩れて該遊技球３４を落下させることができる。これにより、可動翼片１５を本来の傾動位置まで回動させることができる。また、可動翼片１５，１５の起立位置への変換に際して、図６（イ）に示すように、可動翼片１５の先端と、可変入賞装置１３Ａの周囲に配設されている遊技釘３３との間に遊技球３４が挟まれた場合にも、主片部１５ａの先端に遊転可能に軸支されている回動片部１５ｂの遊転作用によって、図６（ロ）に示すように、遊技釘３３に対して傾斜が生じ、その傾斜に沿って遊技球３４が移動することとなり、バランスが崩れて該遊技球３４を落下させることができる。これにより、可動翼片１５を本来の起立位置まで回動させることができる。
【００２８】
また、可変入賞装置１３Ａが、可動翼片１５，１５の回動軌跡の近傍に天蓋等の突出縁部（図示省略）を備えたものである場合に、可動翼片１５，１５の開閉作動に際して、可動翼片１５の先端と、前記突出縁部との間に遊技球が挟まれても、上記と同様に回動片部１５ｂの遊転作用により生じる傾斜によって、該遊技球を移動させてバランスを崩し、落下させることができる。これにより、可動翼片１５を本来の傾動位置または起立位置まで回動させることができる。
【００２９】
一方、各可動翼片１５の球受け面３２の一部が、各可動翼片１５の先端の回動片部１５ｂによって構成されていることにより、傾動位置にある可動翼片１５，１５の先端に遊技球が勢いよく衝突した場合に、球受け面３２の一部を構成する回動片部１５ｂが遊転することによってその衝撃が緩和され、衝突した遊技球が可動翼片１５上から弾き出されてしまうことを防止することができる。
【００３０】
尚、上述した第一実施例では、左右の可動翼片１５，１５の両方を夫々主片部１５ａと、該主片部１５ａの先端に遊転可能に軸支した回動片部１５ｂとにより構成した例を示したが、左右の可動翼片１５，１５の何れか一方のみを主片部１５ａと回動片部１５ｂとにより構成することもできる。また、主片部１５ａの先端に回動片部１５ｂを軸支する構成として、回動片部１５ｂの下端面に支軸３０を突成し、該支軸３０を主片部１５ａの上端面に形成した嵌挿孔３１に遊嵌させるようにしているが、該嵌挿孔３１と支軸３０は、その配置関係を逆にすることも可能である。
【００３１】
図７，図８は、可変入賞装置１３Ａの第二実施例を示し、この第二実施例は、可変入賞装置１３Ａの両可動翼片１５，１５が、夫々主片部１５ａと、該主片部１５ａの先端に軸支された回動片部１５ｂとからなり、さらに該回動片部１５ｂは回動角度調整手段３５を介してその回動角度位置が選択的に保持されるようになっている。
【００３２】
ここで、回動片部１５ｂの下端面には、図７に示すように、支軸３０が突成されており、該支軸３０を主片部１５ａの上端面に形成した嵌挿孔３１に嵌挿させることにより、回動片部１５ｂを主片部１５ａの先端に軸支するようにしている。また、嵌挿孔３１の周縁には、その周方向に所定角度ずつ位置をずらせた三つの係合凹部３６が軸線方向に沿って形成されており、支軸３０の周面には、前記係合凹部３６に選択的に係合可能な係合突部３７が軸線方向に沿って形成されている。そして、このように主片部１５ａに、回動片部１５ｂを軸支する支軸３０と同心状に設けられた複数の係合凹部３６と、回動片部１５ｂに設けられて該係合凹部３６に選択的に係合される係合突部３７とによって上記回動角度調整手段３５が構成されている。尚、その他の構成は第一実施例と同じであり、同一部分に同一符号を付して重複する説明を省略する。
【００３３】
かかる構成にあって、遊技店が行う釘調整により、図８（イ）に示すように、遊技釘３３が遊技盤面２に対して垂直に調整された状態や、図８（ロ）に示すように、遊技釘３３が遊技盤面２に対して斜めに調整された状態において、該遊技釘３３と開閉作動により回動する可動翼片１５，１５の先端とが近接し、両者間に遊技球が挟まれることが予め明白である場合に、前記回動角度調整手段３５を介して回動片部１５ｂの回動角度位置を変えることにより、図８（イ），（ロ）に示すように、遊技釘３３に対して傾斜を生じさせることができ、可動翼片１５の開閉作動に際して回動片部１５ｂと遊技釘３３との間に遊技球が挟まれても、その傾斜に沿って遊技球を移動させてバランスを崩し、落下させることができる。これにより、可動翼片１５，１５が本来の傾動位置や起立位置まで回動できなくなるという不具合を未然に防止することができる。
【００３４】
また、回動角度調整手段３５が、主片部１５ａに設けられた複数の係合凹部３６と、回動片部１５ｂに設けられて該係合凹部３６に選択的に係合される係合突部３７とによって構成されていることにより、複数の係合凹部３６の何れかに係合突部３７を選択的に係合するだけの簡単な操作で、回動片部１５ｂの回動角度位置を容易に変えることができ、遊技釘３３に対して遊技球を移動させて落下させるための傾斜を簡単に生じさせることができる。
【００３５】
さらに、回動角度調整手段３５により、遊技店が調整した遊技釘の傾きと平行となるように回動片部１５ｂの回動角度位置を変えて、該回動片部１５ｂと遊技釘とのずれをなくすことにより、可動翼片１５，１５の起立位置における上方からのスムーズな入賞を実現することができる。
【００３６】
尚、この第二実施例では、主片部１５ａに三つの係合凹部３６を設けた例を示したが、該係合凹部３６は、二つまたは四つ以上の複数とすることができる。また、係合凹部３６に対する係合突部３７の係合は、遊技球の衝突や遊技球の挟み込み程度の力では回動片部１５ｂが回動せず、人の力で抜き差しできる固さで圧入するようにしてもよい。さらに、実施例では主片部１５ａに複数の係合凹部３６を設ける一方、回動片部１５ｂに係合突部３７を設けるようにしているが、該係合凹部３６と係合突部３７は、その配置関係を逆にすることも可能である。
【００３７】
次に、可変入賞装置１３Ｂの構成を、図９〜図１２に示す第三実施例に基づいて説明する。
可変入賞装置１３Ｂは、図９に示すように、遊技盤面２に取り付けられる装飾基板３８の中央部に、横長矩形状の入賞口２０が形成されており、該入賞口２０には、その開口部を略塞ぐ大きさに形成された横長矩形状の開閉扉２１が前後方向に沿って起倒可能に取り付けられている。そして、該開閉扉２１は、前方回動駆動により傾倒して入賞口２０を開放し、かつ該入賞口２０に遊技球を案内する開放位置と、該開放位置からの後方回動駆動により起立して入賞口２０を閉鎖する閉鎖位置とに変換制御されるようになっている。尚、図示省略されているが、該開閉扉２１の回動駆動には、ソレノイドを備えた公知の回動駆動機構の構成が適用され得る。
【００３８】
前記開閉扉２１は、図１０に示すように、左右両端の下部で夫々支軸３９により軸支されて前後方向に沿って起倒可能に設けられた略コ字形の支持枠部４０と、該支持枠部４０の左右両側に一体形成された側板部４１，４１と、支持枠部４０の前方回動状態で、該支持枠部４０の前縁中央に後端が支軸４２により軸支された微傾動可能な扉板部４３とからなる。ここで、支持枠部４０の前縁中央に突設された支軸４２には、その周面の左右両側にストッパー片４４，４４が突成されており、該支軸４２が嵌挿される扉板部４３の嵌挿孔４５には、図１１（イ），（ロ）に示すように、扉板部４３の傾動時に、前記ストッパー片４４，４４に当接してその傾動角度を規定する上下の角度規定縁４６，４６が左右両側に形成されている。この角度規定縁４６，４６で規定される扉板部４３の傾動角度は、扉板部４３の両端部が水平状態から上下方向に夫々１５°程度以下で傾動し得る角度範囲となっている。これによって、開閉扉２１が開放位置に変換された状態において、扉板部４３が傾動によって遊技球の入賞口２０への案内作用を損なわない程度に微傾動するようになっている。
【００３９】
かかる構成にあって、開閉扉２１が閉鎖位置から開放位置へ変換される際に、図１２（イ）に示すように、扉板部４３の前面上縁と遊技盤面２を覆う前面ガラス４７との間に遊技球３４が挟み込まれると、扉板部４３が微傾動して前面ガラス４７に対して傾斜が生じ、その傾斜によって遊技球を外端側に移動させてバランスを崩し、落下させることができる。これにより、開閉扉２１を本来の開放位置まで回動させることができる。また、開閉扉２１が開放位置から閉鎖位置へ変換される際に、図１２（ロ）に示すように、扉板部４３の裏面上縁と入賞口２０の上部口縁４８との間に遊技球３４が挟み込まれた場合も、扉板部４３が微傾動して入賞口２０の上部口縁４８に対して傾斜が生じ、その傾斜によって遊技球を外端側に移動させてバランスを崩し、落下させることができる。これにより、開閉扉２１を本来の閉鎖位置まで回動させることができる。
【００４０】
尚、扉板部４３の傾動角度を規定して微傾動可能とする傾動角度規定手段は、上述した支軸４２の左右両側にストッパー片４４，４４を一対に突成するもの以外に、単一で突成したストッパー片４４と、嵌挿孔４５側に設けられる一対の角度規定縁４６，４６とによって構成することも可能である。
【図面の簡単な説明】
【００４１】
【図１】パチンコ遊技機の遊技盤１を示す正面図である。
【図２】第一実施例の可変入賞装置１３Ａを示す分解斜視図である。
【図３】（イ）は嵌挿孔３１への支軸３０の嵌入過程を示す説明図、（ロ）は嵌挿孔３１に遊嵌された支軸３０の嵌入状態を示す説明図である。
【図４】可動翼片１５，１５が起立位置にある状態を示す第一実施例の可変入賞装置１３Ａの斜視図である。
【図５】（イ）は可動翼片１５，１５の傾動位置への回動時に、可動翼片１５の先端と遊技釘３３との間に遊技球３４が挟まった状態を示す可変入賞装置１３Ａの正面図、（ロ）は回動片部が遊転した状態を示す作用説明図である。
【図６】（イ）は可動翼片１５，１５の起立位置への回動時に、可動翼片１５の先端と遊技釘３３との間に遊技球３４が挟まった状態を示す可変入賞装置１３Ａの正面図、（ロ）は回動片部が遊転した状態を示す作用説明図である。
【図７】第二実施例の可変入賞装置１３Ａを構成する可動翼片１５の分解斜視図である。
【図８】遊技釘３３の調整に応じて回動片部の回動角度位置を選択した状態を（イ），（ロ）で示す作用説明図である。
【図９】第三実施例の可変入賞装置１３Ｂを示す斜視図である。
【図１０】開閉扉２１を構成する支持枠部４０と扉板部４３の分解斜視図である。
【図１１】扉板部４３の傾動角度を規定して微傾動可能とする構成を示す開閉扉２１の部分縦断正面図である。
【図１２】（イ）は扉板部４３の前面上縁と遊技盤面２を覆う前面ガラス４７との間に遊技球３４が挟み込まれた場合の作用説明図、（ロ）は扉板部４３の裏面上縁と入賞口２０の上部口縁４８との間に遊技球３４が挟み込まれた場合の作用説明図である。
【符号の説明】
【００４２】
１３Ａ，１３Ｂ  可変入賞装置
１５  可動翼片
１５ａ  主片部
１５ｂ  回動片部
２０  入賞口
２１  開閉扉
３０  支軸
３２  球受け面
３４  遊技球
３５  回動角度調整手段
３６  係合凹部
３７  係合突部
４０  支持枠部
４３  扉板部
【図１】
2005046506.tif 000003
【図２】
2005046506.tif 000004
【図３】
2005046506.tif 000005
【図４】
2005046506.tif 000006
【図５】
2005046506.tif 000007
【図６】
2005046506.tif 000008
【図７】
2005046506.tif 000009
【図８】
2005046506.tif 000010
【図９】
2005046506.tif 000011
【図１０】
2005046506.tif 000012
【図１１】
2005046506.tif 000013
【図１２】
2005046506.tif 000014